(57)【要約】    【課題】  抜き忘れ防止に有効な鍼灸針（豪針、円皮針）を提供する。    【解決手段】  先端側に針先部１ａを有する針体１の基端側に設けられる針柄２の少なくとも表面側の一部を、蛍光体又は蓄光体を含んで構成する。具体的には、針柄２の成形用樹脂に蛍光顔料又は蓄光顔料Ｃを混入させる。又は、針柄２の表面に蛍光テープ又は蓄光テープＴを貼り付ける。又は、針柄２の表面に蛍光塗料又は蓄光塗料Ｐを塗布する。円皮針の留置用の絆創膏や、絆創膏と針体とを固定する樹脂材の少なくとも表面側の一部を、蛍光体又は蓄光体を含んで構成してもよい。【選択図】  図２
2011125586.tif 000002
【特許請求の範囲】
【請求項１】
先端側に針先部を有する針体と、この針体の基端側に設けられる保持体とを含んで構成される鍼灸針において、
前記保持体の少なくとも表面側の一部を、蛍光体又は蓄光体のうちの少なくとも１つを含んで構成したことを特徴とする鍼灸針。
【請求項２】
前記鍼灸針は豪針であって、前記保持体は、針体の基端側に設けられる針柄であり、この針柄の少なくとも表面側の一部を、蛍光体又は蓄光体のうちの少なくとも１つを含んで構成したことを特徴とする請求項１記載の鍼灸針。
【請求項３】
前記鍼灸針は円皮針であって、前記保持体は、針体の基端側に設けられる留置用の絆創膏であり、この絆創膏の少なくとも表面側の一部を、蛍光体又は蓄光体のうちの少なくとも１つを含んで構成したことを特徴とする請求項１記載の鍼灸針。
【請求項４】
前記鍼灸針は円皮針であって、前記保持体は、針体の基端側に設けられる留置用の絆創膏と、この絆創膏の表面側で絆創膏を貫通する針体の基端部を固定する樹脂材とであり、この樹脂材の少なくとも表面側の一部を、蛍光体又は蓄光体のうちの少なくとも１つを含んで構成したことを特徴とする請求項１記載の鍼灸針。
【発明の詳細な説明】
【技術分野】
【０００１】
本発明は、鍼灸治療に用いる鍼灸針に関し、特に、抜き忘れ防止に有効な鍼灸針に関する。
【背景技術】
【０００２】
従来技術として、特許文献１には、鍼灸治療に用いる鍼灸針において、その針柄を治療目的から設定される色に着色することが開示されている。これは針柄に色彩の気を加えることを目的としている。
【０００３】
また、特許文献２には、円皮針を含むつぼ押圧・刺激具を、ファッション性ある装飾体又は擬体付きとしたものが開示されている。これはアクセサリー装着感覚を与えることを目的としている。
【先行技術文献】
【特許文献】
【０００４】
【特許文献１】特開平１１−０７６３６４号公報
【特許文献２】実用新案登録第３１０５６８２号公報
【発明の概要】
【発明が解決しようとする課題】
【０００５】
ところで、鍼灸治療において、針の抜き忘れ（使用した針の本数と抜去した針の本数との不一致）が起きている。
【０００６】
対策として、鍼灸針として推奨される単回使用豪針を使用する場合には、開封した包装数を使用前の本数とし、施術後に抜去した針の本数が一致しているかどうかを確認するなどの方法がとられているが、手間や煩わしさから毎回確認している施術者は少ない。また、刺針する人（医師又は鍼灸師）と、抜針する人（アシスタント）とが異なる場合に、刺針した位置を正確に把握していないために、抜き忘れが起きるケースが多々ある。
【０００７】
本発明は、このような実状に鑑み、特許文献１、２のような単なる着色や装飾に比べてても、一段と目立つことで、抜き忘れ防止に有効な鍼灸針を提供することを課題としている。
【課題を解決するための手段】
【０００８】
上記の課題を解決するために、本発明は、先端側に針先部を有する針体と、この針体の基端側に設けられる保持体とを含んで構成される鍼灸針において、前記保持体の少なくとも表面側の一部を、蛍光体又は蓄光体のうちの少なくとも１つを含んで構成する。
【０００９】
ここで、鍼灸針が豪針である場合、前記保持体は、針体の基端側に設けられる針柄であり、この針柄の少なくとも表面側の一部を、蛍光体又は蓄光体のうちの少なくとも１つを含んで構成する。
【００１０】
鍼灸針が円皮針である場合、前記保持体は、針体の基端側に設けられる留置用の絆創膏であり、この絆創膏の少なくとも表面側の一部を、蛍光体又は蓄光体のうちの少なくとも１つを含んで構成する。
【００１１】
又は、鍼灸針が円皮針である場合、前記保持部は、針体の基端側に設けられる留置用の絆創膏と、この絆創膏の表面側で絆創膏を貫通する針体の基端部を固定する樹脂材とであり、この樹脂材の少なくとも表面側の一部を、蛍光体又は蓄光体のうちの少なくとも１つを含んで構成する。
【００１２】
尚、本明細書で、「蛍光体」とは、自然光に対して、入射光の大部分が熱として吸収されずに、反射光と同位相の波長光として増幅されて放出される物質をいい、また特定の波長光（例えば紫外線）を当てることで、顔料の成分が励起発光される物質を含む。「蓄光体」とは、光をためて持続的に発光する物質をいう。
【発明の効果】
【００１３】
本発明によれば、鍼灸針の保持体（豪針の針柄、円皮針の絆創膏又は樹脂材など）が蛍光体又は蓄光体として発光することで、刺針した状態で、目立ち、針の抜き忘れ防止を図ることができる。また、ファッション性も兼ね備えることとなる。
【図面の簡単な説明】
【００１４】
【図１】本発明の一実施形態を示す豪針の構成図
【図２】同上豪針への蛍光体又は蓄光体の適用態様を示す図
【図３】他の適用態様を示す図
【図４】本発明の他の実施形態を示す円皮針の構成図
【図５】図４のＡ部の拡大図
【図６】同上円皮針への蛍光体又は蓄光体の適用態様を示す図
【発明を実施するための形態】
【００１５】
以下、本発明の実施の形態について、詳細に説明する。
【００１６】
図１は本発明の一実施形態を示す豪針の構成図である。
【００１７】
この豪針は、先端側に針先部１ａを有する金属製（例えばステンレス製）の針体１と、この針体１の基端側に設けられる保持体としての針柄２とから構成される。この実施形態では、針柄２は樹脂製（例えばポリプロピレン樹脂）で、針体１の基端側（必要により抜け止めのため適宜屈曲させる）を包覆して一体成形している。
【００１８】
このような豪針の使用に際しては、滅菌性の包装容器から取出した後、豪針が挿入された針管（図示せず）の先端をつぼにあてがい、針管の基端より突出している針柄２を押圧して、針体１の針先部１ａを皮下に刺入する。
【００１９】
図２は図１の豪針への蛍光体又は蓄光体の適用態様を示している。
【００２０】
図２（ａ）は、針柄２を樹脂成形する際に、その成形用樹脂に蛍光顔料又は蓄光顔料Ｃを混入することで、針柄２を蛍光体又は蓄光体を含んで構成している。
【００２１】
図２（ｂ）は、針柄２の表面に、蛍光テープ又は蓄光テープＴを貼り付けることにより、針柄２の表面の少なくとも一部を蛍光体又は蓄光体を含んで構成している。
【００２２】
図２（ｃ）は、針柄２の表面に、蛍光塗料又は蓄光塗料Ｐを塗布することにより、針柄２の表面の少なくとも一部を蛍光体又は蓄光体を含んで構成している。
【００２３】
尚、針柄２が金属製で、樹脂成形品ではない場合、図２（ａ）の手法は困難であるが、図２（ｂ）のような蛍光テープ又は蓄光テープＴを貼り付ける手法、図２（ｃ）のような蛍光塗料又は蓄光塗料Ｐを塗布する手法は、有効である。
【００２４】
更に図３に他の適用態様を示している。
【００２５】
これは２色成形（ダブルモールド）を利用するものである。すなわち、針柄２は、樹脂製（例えばポリプロピレン樹脂）で、金型の一次側キャビティで針体１の基端側を包覆して一次側となる部分を成形してから、同一金型内の二次側キャビティで二次側となる部分を、一次側部分と一体に成形している。そして、二次側部分の成形に、成形用樹脂に蛍光顔料又は蓄光顔料を混入したものを用いている。
【００２６】
図３（ａ）は、このような２色成形で、針柄２の頭部（図示Ｃ１部分）を二次側として蛍光体又は蓄光体を含んで構成した例である。
【００２７】
図３（ｂ）は、同じく２色成形で、針柄２の外殻（図示Ｃ２部分）を二次側として蛍光体又は蓄光体を含んで構成した例である。
【００２８】
図３（ｃ）は、同じく２色成形で、針柄２の中間部外周側（図示Ｃ３部分）を二次側として蛍光体又は蓄光体を含んで構成した例である。
【００２９】
図４は本発明の他の実施形態を示す円皮針の構成図であり、（イ）は平面図、（ロ）は正面図、（ハ）は底面図である。図５は図４（ロ）中のＡ部の拡大断面図である。
【００３０】
この円皮針は、絆創膏（粘着テープ）１１と、剥離紙１２と、針体１３と、樹脂材１４とから構成される。
【００３１】
絆創膏（粘着テープ）１１は、針体１３を皮膚に留置するためのもので、円形状で、片面に粘着性を有し、中央部には孔１１ａが設けられている。
【００３２】
剥離紙１２は、円形状で、その径は絆創膏１１の径と比してやや大きく、中央部に孔１２ａを有し、絆創膏１１の粘着面側に剥離可能に貼り付けられている。また、剥離紙１２は、孔１２ａを通る分割線１２ｂで分割されていて、施術時の剥離等を容易にしている。
【００３３】
針体１３は、金属製（ステンレス製）で、Ｌ字状に屈曲されている。針体１３の先端部１３ａは、絆創膏１１及び剥離紙１２の孔１１ａ及び１２ａを貫通して突出しており、皮下に刺入するための針先部を形成している。一方、基端部１３ｂは、扁平に加工されて、絆創膏１１の非粘着面側にこれと略平行に配置されている。
【００３４】
樹脂材１４は、絆創膏１１の非粘着面上に、針体１３の基端部１３ｂを覆うように射出成形又はポッティング（樹脂盛り加工）されて、針体１３を固定している。
【００３５】
このような円皮針の使用に際しては、滅菌性の包装容器から取出した後、絆創膏１１から剥離紙１２の一部を剥がして、針体１３の先端部（針先部）１３ａをつぼにあてがい、刺通しつつ、粘着面の露出した部分を皮膚に貼付し、固定する。さらに、剥離紙１２の残りの部分を剥がし、この部分の粘着面も皮膚に貼付する。
【００３６】
従って、円皮針の場合は、針体１３の基端側に設けられる留置用の絆創膏１１と、この絆創膏１１の表面側で絆創膏１１を貫通する針体１３の基端部１３ｂを固定する樹脂材１４とが、針体１３の基端側に設けられる保持体に相当する。
【００３７】
図６は図４及び図５の円皮針への蛍光体又は蓄光体の適用態様を示している。
【００３８】
図６（ａ）は、円皮針の樹脂材１４を樹脂成形する際に、その成形用樹脂に蛍光顔料又は蓄光顔料Ｃを混入することで、樹脂材１４を蛍光体又は蓄光体を含んで構成している。
【００３９】
図６（ｂ）は、絆創膏１１を蛍光テープ又は蓄光テープＴで構成することにより、絆創膏１１を蛍光体又は蓄光体を含んで構成している。
【００４０】
詳しくは、絆創膏（粘着テープ）１１は、紙、布、不織布、或いはプラスチックのテープからできている基材と、この基材の片側に設けられる粘着剤の層との、２層構造からなるので、絆創膏１１の基材のテープを蛍光テープ又は蓄光テープＴとすることにより、絆創膏１１の少なくとも表面を蛍光体又は蓄光体を含んで構成している。
【００４１】
図６（ｃ）は、樹脂材１４の表面に、蛍光テープ又は蓄光テープＴを貼り付けることにより、樹脂材１４の表面の少なくとも一部を蛍光体又は蓄光体を含んで構成している。
【００４２】
図６（ｄ）は、絆創膏１１及び樹脂材１４の表面に、蛍光塗料又は蓄光塗料Ｐを塗布することにより、絆創膏１１及び樹脂材１４の表面の少なくとも一部を蛍光体又は蓄光体を含んで構成している。尚、図６（ｄ）では絆創膏１１及び樹脂材１４の両方に蛍光塗料又は蓄光塗料Ｐを塗布しているが、絆創膏１１のみに蛍光塗料又は蓄光塗料Ｐを塗布してもよいし、樹脂材１４のみに蛍光塗料又は蓄光塗料Ｐを塗布してもよい。
【００４３】
また、図６（ａ）〜（ｄ）をそれぞれ単独で実施する他、これらを組み合わせて実施してもよい。例えば、図６（ａ）と図６（ｂ）とを組み合わせ、樹脂材１４を蛍光顔料又は蓄光顔料入りとすると共に、絆創膏１１を蛍光テープ又は蓄光テープで形成するなどしてもよい。
【００４４】
以上のようにして、鍼灸針の保持体（豪針の針柄、円皮針の絆創膏、樹脂材など）が蛍光体又は蓄光体として発光するようにすることで、刺針した状態で、ひときわ目立つことから、針の抜き忘れを防止することができる。また、鮮やかな発光により、ファッション性も向上させることができる。
【００４５】
特に蛍光体の場合は、自然光に対して、入射光の大部分が熱として吸収されずに、反射光と同位相の波長光として増幅されて放出されることで、極めて鮮明な色彩が得られ、視認性が向上する。また、暗い室内において、ブラックライト（紫外光）等を当てることで、その成分が励起発光され、視認性を更に高めることができる。
【００４６】
また、蓄光体の場合は、自然光あるいは蛍光灯の下で光を蓄積し、視認できる程度の光を持続的に発光することができる。従って、暗い室内でより視認性の効果が高まる。
【００４７】
従って、蛍光体又は蓄光体を用いて視認性を高めるのと合わせ、室内を暗い状態にしたり、ブラックライト（紫外光）を当てる等の補足的手段を併用することにより、視認性を更に向上させることができ、針の抜き忘れに更に有効となる。
【００４８】
尚、蛍光体又は蓄光体としては、既に述べたように、適用する鍼灸針の種類、形状、適用箇所などの違いから、蛍光顔料、蛍光テープ、蛍光塗料、蓄光顔料、蓄光テープ、蓄光塗料の中から適宜選択すればよい。
【００４９】
蛍光顔料の具体例としては、シンロイヒ（株）製の蛍光顔料「シンロイヒカラー」を挙げることができる。
【００５０】
また、蓄光顔料の具体例としては、根本特殊化学（株）製の長残光性蓄光顔料「Ｎ夜光」Ｇ−３００Ｍ、ＧＬＬ−３００Ｍを挙げることができ、実用的には、この蓄光顔料を混練した射出成形用ペレット「ルミノーバペレット」ＰＰ３Ｎ−１０Ｐ（Ｇ−３００Ｍ、１０％含有）又はＰＰ３Ｎ−１０Ｐ（ＧＬＬ−３００Ｍ、１０％含有）などを使用すればよい。
【００５１】
もちろん、これらに限るものではなく、メーカーや含有量は適宜選択可能である。
【００５２】
尚、以上に本発明の実施形態を図面に基づいて説明したが、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００５３】
１  針体
１ａ  針先部
２  針柄
１１  絆創膏（粘着テープ）
１２  剥離紙
１３  針体
１３ａ  先端部（針先部）
１３ｂ  基端部
１４  樹脂材
【図１】
2011125586.tif 000003
【図２】
2011125586.tif 000004
【図３】
2011125586.tif 000005
【図４】
2011125586.tif 000006
【図５】
2011125586.tif 000007
【図６】
2011125586.tif 000008